(57)【要約】【課題】  本体部に離型性以外の特性を考慮した材料を用いることができ、シーリング材と接触する面に本体部とは線膨張率が異なる材料を使用しても分離することが無く、且つ、シーリング材の打ち替え時にも剥がれることのないシーリングバックアップ材、及びシーリングバックアップ材の製造方法を提供する。【解決手段】シーリングバックアップ材１は、外壁パネル２よりも屋内側に配置される基部１１、前記基部１１から前記外壁パネル２間の目地３内に延びる脚部１２、及び、前記脚部１２の屋外側の端部に支持されて、外壁パネル２の間の目地３に配置され、当該目地３に沿って配置される外壁パネル２と平行な平板状の平板部１３とを有する本体部９と、前記平板部１３の屋外面１３ａと、両側端面１３ｂと、屋内面の両端部１３ｃとを覆う一体形状の表層部１０と、を備え、前記表層部１０が前記本体部９よりも離型性が高い。【選択図】図１
2018066175.tif 000002
【特許請求の範囲】
【請求項１】
外壁パネルよりも屋内側に配置される基部、前記基部から前記外壁パネル間の目地内に延びる脚部、及び、前記脚部の屋外側の端部に支持されて、外壁パネルの間の目地に配置され、当該目地に沿って配置される外壁パネルと平行な平板状の平板部を有する本体部と、
前記平板部の屋外面と、両側端面と、屋内面の両端部とを覆う一体形状の表層部と、を備え、
前記表層部が前記本体部よりも離型性が高いことを特徴とするシーリングバックアップ材。
【請求項２】
前記表層部がポリエチレン樹脂製であることを特徴とする請求項１に記載のシーリングバックアップ材。
【請求項３】
請求項１又は請求項２に記載のシーリングバックアップ材の製造方法であって、
前記本体部と前記表層部とが押出一体成形によって製造されることを特徴とするシーリングバックアップ材の製造方法。
【発明の詳細な説明】
【技術分野】
【０００１】
本発明は、外壁パネルの間に形成される目地に施工するシーリング材の屋内側に配置されるシーリングバックアップ材及びシーリングバックアップ材の製造方法に関する。
【背景技術】
【０００２】
外壁パネル間の目地には防水及び気密などの目的でシーリング材が充填される。シーリング材は目地に充填した後、例えば化学変化や乾燥などによって、目地を構成している隣接する外壁パネルの端部に密着した状態で硬化し、目地の防水性や気密性を保っている。そして、このようなシーリング材を目地内で適切な厚さに施工するために目地の奥にはシーリングバックアップ材が設けられる。
【０００３】
ところで、例えばカーテンウォールやロッキングウォールなどのように外壁の目地は温度変化や地震などの要因で若干の変形が発生するので、目地内に充填されているシーリング材は目地の変形に対して追従性を持たせる必要がある。そして、シーリング材に目地の変形に対する追従性を持たせるためには、当該シーリング材は隣接する外壁端部には接着するが、シーリングバックアップ材には非接着となるいわゆる二面接着が望ましい。
【０００４】
そして、シーリング材がシーリングバックアップ材へ接着しないようにするために、例えば特許文献１では例えばポリエチレン等のシーリング材との離型性が高い材料により構成した離型層をシーリングバックアップ材の本体部の屋外面に塗布又は接着により形成することが記載されている。また、特許文献２ではシーリング材との離型性の高い材料を混合した樹脂材でシーリングバックアップ材全体を形成することが記載されている。
【先行技術文献】
【特許文献】
【０００５】
【特許文献１】特開平１０−２１９９６０号公報
【特許文献２】実用新案登録第３０３００８８号公報
【発明の概要】
【発明が解決しようとする課題】
【０００６】
しかし、特許文献１のようにシーリングバックアップ材の本体部の屋外面に離型層を接着や塗布により形成した場合、当該本体部と離型層との線膨張率の相違によって、本体部と離型層とが分離するおそれがある。また、例えばメンテナンスでシーリング材を打ち替える際にシーリング材とともに離型層までもが目地から引き剥がされるおそれがある。
【０００７】
また、シーリングバックアップ材全体を離型性の高い材料を混合した樹脂材で形成する場合、離型性を確保するために材料が限定され、材料のコストや他の特性を考慮して選択することが困難となる問題がある。
【０００８】
そこで、本発明は、本体部分に離型性以外の特性を考慮した材料を用いることができ、シーリング材と接触する面に本体部とは線膨張率が異なる材料を使用しても分離することが無く、且つ、シーリング材の打ち替え時にも剥がれることのないシーリングバックアップ材、及びシーリングバックアップ材の製造方法を提供することを目的とする。
【課題を解決するための手段】
【０００９】
本発明のシーリングバックアップ材は、外壁パネルよりも屋内側に配置される基部、前記基部から前記外壁パネル間の目地内に延びる脚部、及び、前記脚部の屋外側の端部に支持されて、外壁パネルの間の目地に配置され、当該目地に沿って配置される外壁パネルと平行な平板状の平板部とを有する本体部と、前記平板部の屋外面と、両側端面と、屋内面の両端部とを覆う一体形状の表層部と、を備え、前記表層部が前記本体部よりも離型性が高いことを特徴としている。
【００１０】
また、本発明のシーリングバックアップ材は、前記表層部がポリエチレン樹脂製であることを特徴としている。
【００１１】
本発明のシーリングバックアップ材の製造方法は、上記のいずれかのシーリングバックアップ材の製造方法であって、前記本体部と前記表層部とが押出一体成形によって製造されることを特徴としている。
【発明の効果】
【００１２】
本発明のシーリングバックアップ材によると、表層部が平板部の屋外面から両側端面を通って屋内面の両端部にまで回りこむように形成されており、線膨張率の相違によって本体部と表層部との接着力が弱まったとしても、表層部は平板部の屋内面の両端部に引っ掛けられる形状となっているので、本体部と表層部とが分離するおそれがない。また、この表層部の平板部の屋内面の両端部に引っ掛けられる形状によって、シーリング材の打ち替え時にも表層部が本体部から剥がれるおそれがない。
【００１３】
本発明のシーリングバックアップ材によると、ポリエチレン樹脂は単価が高いので、シーリングバックアップ材全体をこのポリエチレン樹脂で形成することは得策でなく、しかも屋外面のみにポリエチレン樹脂層を形成した場合にはポリエチレン樹脂の線膨張率が大きいので本体部から分離するおそれがあったが、上述の通り、表層部が平板部の屋内面の両端部に引っ掛けられる形状となっていることによって本体部から分離するおそれがない。
【００１４】
本発明のシーリングバックアップ材の製造方法によると、本体部と表層部とが押出一体成形によって製造されるので、例えば表層部を別途製造する工程や表層部を塗布又は接着する工程が不要となるので、製造工程を簡単にすることができ、シーリングバックアップ材を安価にすることができる。そして、このような押出一体成形で製造することで、表層部を簡単に平板部の屋外面から両側端面を通って屋内面の両端部にまで回りこむ形状にすることができ、屋内面の両端部にまで回りこんでいることにより、本体部から表層部が分離することが無いシーリングバックアップ材を製造することができる。
【図面の簡単な説明】
【００１５】
【図１】シーリングバックアップ材の全体構成を示す断面図。
【図２】シーリングバックアップ材の全体構成を示す一部省略斜視図。
【図３】シーリング材を施工する際に、シーリングバックアップ材を目地内に押し込む工程を示す図。
【図４】シーリング材を施工する際に、シーリングバックアップ材を目地奥に配置した状態を示す図。
【図５】シーリング材の施工を完了した状態を示す図。
【発明を実施するための形態】
【００１６】
以下、本発明に係るシーリングバックアップ材１及びシーリングバックアップ材の製造方法の最良の実施形態について各図を参照しつつ説明する。シーリングバックアップ材１は、図５に示すように、例えば住宅等の建物の外壁パネル２間の目地３に充填されるシーリング材４のバックアップ材として用いられるものである。本実施形態の外壁パネル２は、例えばカーテンウォール構法やロッキングウォール構法によって構築されており、地震などの際に外壁パネル２が１枚ずつ微小に揺動するものである。このように外壁パネル２が１枚ずつ揺動することで、互いに隣接する外壁パネル２間の目地３は変形する。なお、本発明におけるシーリングバックアップ材１はこのような外壁パネル２の間の目地３に用いられるものに限定されるものではなく、気温変化などの様々な要因で目地３が変形する可能性があるあらゆる外壁パネル２間に形成される目地３内に設けられるシーリングバックアップ材１に用いることができる。
【００１７】
外壁パネル２は図３から図５に示すように、外壁パネル２の裏面に設けられたパネル取付金具５によって、合板６の屋内側に立設された柱７又は下地木にビス８で固定されている。
【００１８】
シーリング材４は、例えば空気中の成分に反応し又は乾燥によって自然硬化する１成分形のものであってもよく、又は硬化剤を混ぜて硬化させる２成分形のものであってもよい。シーリング材４の材料は、シリコーン系、ウレタン系、油性系などのどのような材料のものであっても良いが、外壁パネル２間の目地３の変形に追従できる弾性を有するものが好ましい。
【００１９】
シーリングバックアップ材１は、図１及び図２に示すように、外壁パネル２間の目地３に挿入される長尺材であり、例えば隣接する外壁パネル２間の縦目地３の上端から下端までに配置される長さを有している。シーリングバックアップ材１は本実施形態では縦目地３の屋内側に設けられているが、例えば横目地の屋内側に設けられていても良い。シーリングバックアップ材１は、本体部９と、本体部９の屋外側の面を含む一部を覆うように形成される表層部１０とが押出一体成形されている。
【００２０】
本体部９は、外壁パネル２の屋内側に配置される基部１１と、基部１１から屋外方向に突出して、外壁パネル２間の目地３内に延びる脚部１２と、脚部１２の屋外側の端部に支持されて、目地３に配置される平板部１３とを有している。基部１１は２枚の長尺板が互いに間隔を開けて外壁パネル２に平行な同一面上に形成されており、基部１１の互いに対向する端部から屋外方向に向けて２枚の脚部１２が突出して形成されている。平板部１３は、２枚の脚部１２の屋外側の端部に支持される長尺な板状であり、一方の面が屋外側を向く屋外面で、他方の面が屋内側を向く屋内面である。平板部１３は２枚の脚部１２の屋外側の端部に架け渡されるように支持されており、平板部１３の端部が脚部１２から目地３幅方向の外向きに突出して形成されている。
【００２１】
表層部１０は、平板部１３の屋外面１３ａと、両側端面１３ｂと、屋内面の両端部１３ｃとを覆うように配置されている。すなわち、表層部１０は平板部１３の屋外面１３ａから両側端面１３ｂを通って屋内面の両端部１３ｃまで回りこむ形状に形成されている。
【００２２】
本実施形態におけるシーリングバックアップ材１の本体部９はリサイクルのポリプロピレン樹脂で形成されており、表層部１０はポリエチレン樹脂で形成されている。このようにシーリングバックアップ材１の本体部９をポリプロピレン樹脂製とすることで、シーリングバックアップ材１全体をポリエチレン樹脂で形成するよりも材料コストを低減させることができる。また、表層部１０をポリエチレン樹脂製とすることでシーリング材４に当接する部分が離型性の高いポリエチレン樹脂となるので、シーリング材４が目地を構成する外壁パネル２の側端面の２面のみに接着し、シーリングバックアップ材１に接着されないことで、シーリング材４が外壁パネル２の変位による目地３の変形に対して追従性を持つことができ、防水性や気密性を保つことができる。
【００２３】
なお、本体部９及び表層部１０の材質は上述のものに限定されるものではなく、表層部１０はシーリング材４が接着しない離型性の高い材質であればよく、また、本体部９は、離型性を考慮する必要がないので、他の特性やコストを考慮して材質を選択することができる。
【００２４】
シーリングバックアップ材の製造方法は、例えば、図示しないが、表層部１０と本体部９とが組み合わさった形状の金型の本体部に溶融状態のリサイクルポリプロピレン樹脂を供給するとともに、金型の表層部の形状の部分に溶融状態のポリエチレン樹脂を供給して、一体的に押し出し、シーリングバックアップ材１の形状に形成し、その後、冷却し、固化させてシーリングバックアップ材１を形成する。このようにシーリングバックアップ材１を押出一体成形することによって、１工程でシーリングバックアップ材１を製造することができ、それぞれ別に成形して接着するような場合に比べて効率的に製造することができる。そして、シーリングバックアップ材１の形状に形成した後、冷却する際に、ポリプロピレン樹脂及びポリエチレン樹脂の線膨張率の相違によって、表層部１０と本体部９とが剥離しやすくなるが、表層部１０が本体部９の平板部１３の屋外面１３ａから両側端面１３ｂを通って屋内面の両端部１３ｃまで回りこむ形状であるので、表層部１０の回り込んだ部分が平板部１３の両端を挟持することで、表層部１０の本体部９からの剥離を防止することができる。
【００２５】
外壁パネル２間の目地３にシーリング材４を施工する際には、図３に示すように、まず、柱７に固定されている合板６に外壁パネル２を取り付ける前に、当該外壁パネル２の間の目地３が形成されることになる位置に、シーリングバックアップ材１を配置する。そして、当該シーリングバックアップ材１を挟んで両側にパネル取付金具５をビス８で固定する。そして、図４に示すように、外壁パネル２をパネル取付金具５にそれぞれ取り付けて、シーリングバックアップ材を挟むように外壁パネル２を配置し、外壁パネル２の間に目地３を形成する。このとき、シーリングバックアップ材１は平板部１３及び平板部１３の表面に設けられている表層部１０が目地３の奥で、外壁パネル２の側端面に挟まれた状態となる。そして、図５に示すように、目地３の屋外側からシーリング材４を充填する。
【００２６】
シーリングバックアップ材１の表層部１０は平板部１３の屋外面１３ａから両側端面１３ｂを通って屋内面の両端部１３ｃまで回りこむ形状であるので、シーリング材４が屋外面側のみならず側端面側にまで入り込んだ場合でも、当該側端面にも表層部１０が配置されているのでシーリング材４とシーリングバックアップ材１との離型性が保たれ、シーリング材４は目地３の２面にのみ接着し、目地３の変形に対するシーリング材４の追従性を保つことができる。また、上述の通り表層部１０が平板部１３の屋内面の両端部１３ｃに回りこむ形状であることによって、例えばシーリング材４の打ち替え時にも表層部１０が本体部９から剥がれるおそれがない。
【００２７】
なお、本発明の実施の形態は上述の形態に限ることなく、本発明の思想の範囲を逸脱しない範囲で適宜変更することができることは云うまでもない。
【産業上の利用可能性】
【００２８】
本発明に係るシーリングバックアップ材１は、外壁パネル２間の目地３にシーリング材４を施工する際にシーリング材４よりも屋内側に配置されてシーリング材４をバックアップするシーリングバックアップ材１として好適に用いることができる。
【符号の説明】
【００２９】
１      シーリングバックアップ材
２      外壁パネル
３      目地
４      シーリング材
９      本体部
１０    表層部
１１    基部
１２    脚部
１３    平板部
１３ａ  屋外面
１３ｂ  両側端面
１３ｃ  両端部
【図１】
2018066175.tif 000003
【図２】
2018066175.tif 000004
【図３】
2018066175.tif 000005
【図４】
2018066175.tif 000006
【図５】
2018066175.tif 000007